【手続補正書】
【提出日】平成18年12月20日(2006.12.20)
【手続補正１】
【補正対象書類名】明細書
【補正対象項目名】特許請求の範囲
【補正方法】変更
【補正の内容】
【特許請求の範囲】
【請求項１】
ハウジング（３４）と；
スクリーン（４０）を有すると共に前記ハウジング（３４）に移動自在に接続されるスクリーンコンソール（３８）（前記スクリーンコンソール（３８）は第１位置と第２位置との間にて移動自在である）と；
前記ハウジング（３４）および前記スクリーンコンソール（３８）の一方の内部に実質上一体的に位置すると共に前記スクリーン（４０）に作用接続されたデジタルビデオディスクプレーヤ（３２）（前記スクリーン（４０）は前記スクリーンコンソール（３８）が前記第１位置に位置する際に実質的に隠れうると共に前記スクリーン（４０）は前記スクリーンコンソール（３８）が前記第２位置に位置する際に一般に見ることができる）と；
前記ハウジング（３４）および前記スクリーンコンソール（３８）の一方に位置すると共に前記スクリーンコンソール（３８）を前記ハウジング（３４）に着脱自在に取り付けるよう構成されたラッチメカニズム（８２）と；
を備え、前記ラッチメカニズム（８２）は少なくとも１個のフィンガー（１１０）および少なくとも１個のスロット（１０８）を含み、前記少なくとも１個のフィンガー（１１０）は前記少なくとも１個のスロット（１０８）に係合自在であり、前記少なくとも１個のフィンガー（１１０）および前記少なくとも１個のスロット（１０８）の一方は前記ハウジング（３４）に形成されると共に前記少なくとも１個のフィンガー（１１０）および前記少なくとも１個のスロット（１０８）の他方は前記スクリーンコンソール（３８）に形成されることを特徴とする自動車用のビデオディスプレーシステム。
【請求項２】
前記スクリーンコンソール（３８）を収容するよう構成されたスタンド（１１２）を更に備え、前記スクリーンコンソール（３８）はハウジング（３４）から接続解除された際にスタンド（１１２）内に作用位置する際に使用するのに適する請求項１に記載のビデオディスプレーシステム。
【請求項３】
前記スクリーンコンソール（３８）が前記ハウジング（３４）に旋回自在に取り付けられる請求項１に記載のビデオディスプレーシステム。
【請求項４】
前記ハウジング（３４）が少なくとも１個のオーディオコネクタ（４８）を備える請求項１に記載のビデオディスプレーシステム。
【請求項５】
前記ハウジング（３４）が、前記デジタルビデオディスクプレーヤ（３２）の操作を制御するよう操作しうる少なくとも１個の制御パネル（３６）を備える請求項１に記載のビデオディスプレーシステム。
【請求項６】
前記ハウジング（３４）および前記スクリーンコンソール（３８）の一方が赤外線レシーバー（７６）を備え、前記赤外線レシーバー（７６）が遠隔制御装置（７８）から複数のシグナルを受信するよう作動しうる請求項１に記載のビデオディスプレーシステム。
【請求項７】
前記デジタルビデオディスクプレーヤ（３２）が前記スクリーンコンソール（３８）内に実質的に位置すると共に前記スクリーン（４０）に作用接続されることによりビデオプレーヤユニット（７９）を形成し、前記ビデオプレーヤユニット（７９）は前記スクリーンコンソール（３８）に着脱自在に取り付けられる請求項１に記載のビデオディスプレーシステム。
【請求項８】
前記ビデオプレーヤユニット（７９）が、遠隔電力源から電力を受け入れるよう作動しうる遠隔パワーコネクタ（９０）を備える請求項７に記載のビデオディスプレーシステム。
【請求項９】
前記ビデオプレーヤユニット（７９）がバッテリー源を備える請求項７に記載のビデオディスプレーシステム。
【請求項１０】
前記ビデオプレーヤユニット（７９）が少なくとも１個のオーディオコネクタ（４８）を備える請求項７に記載のビデオディスプレーシステム。
【請求項１１】
前記ビデオプレーヤユニット（７９）をチューナー（１２０）に作用接続することができ、前記チューナー（１２０）はアンテナ源、ケーブルテレビジョン源、ビデオ源および電力源の少なくとも１つを与える請求項７に記載のビデオディスプレーシステム。
【請求項１２】
前記チューナー（１２０）が、前記スクリーン（４０）に作用接続しうる少なくとも１個のスピーカー（１１４）を備える請求項１１に記載のビデオディスプレーシステム。
【請求項１３】
前記ビデオプレーヤユニット（７９）が赤外線レシーバー（７６）を備え、前記赤外線レシーバー（７６）は遠隔制御装置（７８）から複数のシグナルを受信するよう作動しうる請求項７に記載のビデオディスプレーシステム。
【請求項１４】
前記ハウジング（３４）がベーゼル（５４）を備える請求項７に記載のビデオディスプレーシステム。
【請求項１５】
前記ベーゼル（５４）が少なくとも１個のライトおよび前記少なくとも１個のライトに作用連携した少なくとも１この制御装置（９６）を備える請求項１４に記載のビデオディスプレーシステム。
【請求項１６】
前記ベーゼル（５４）が少なくとも１個の自動チョーク装置（９８）を備える請求項１４に記載のビデオディスプレーシステム。
【請求項１７】
前記ビデオプレーヤユニット（７９）をスタンド（１１２）に作用接続しうる請求項７に記載のビデオディスプレーシステム。
【請求項１８】
前記スタンド（１１２）が、前記ビデオプレーヤユニット（７９）に作用接続しうる少なくとも１個のスピーカー（１１４）を備える請求項１７に記載のビデオディスプレーシステム。
【請求項１９】
前記スタンド（１１２）がスタンド本体とスタンド脚部（１１８）とを備え、前記スタンド脚部（１１８）が前記スタンド本体に移動自在に取り付けられる請求項１７に記載のビデオディスプレーシステム。
【請求項２０】
前記スタンド脚部（１１８）が一定力ヒンジにより前記スタンド本体に移動自在に取り付けられる請求項１９に記載のビデオディスプレーシステム。
【請求項２１】
前記スタンド本体内に実質的に位置するストップネジをさらに備え、前記ストップネジは前記スタンド脚部（１１８）に作用係合することにより前記スタンド脚部（１１８）の移動を制限する請求項１９に記載のビデオディスプレーシステム。
【請求項２２】
前記スタンド（１１２）が前記ビデオプレーヤユニット（７９）に作用接続しうる少なくとも１個の制御パネルを備える請求項１７に記載のビデオディスプレーシステム。
【請求項２３】
前記ハウジング（３４）に移動自在に連結されたドッキング部材（１４０）をさらに備え、前記ビデオプレーヤユニット（７９）は前記ドッキング部材（１４０）に着脱自在に連結するよう構成される請求項７に記載のビデオディスプレーシステム。
【請求項２４】
前記ラッチメカニズム（８２）が第１端部を有するリリースボタン（１００）を備え、前記リリースボタン（１００）の前記第１端部は前記ビデオプレーヤユニット（７９）に旋回自在に取り付けられる請求項１に記載のビデオディスプレーシステム。
【請求項２５】
前記リリースボタン（１００）が第２端部を有し、前記リリースボタン（１００）の前記第２端部は前記リリースボタン（１００）の前記第２端部が前記リリースボタン（１００）の第１端部を中心として旋回する際に前記スクリーンコンソール（３８）と作用係合しうる請求項２４に記載のビデオディスプレーシステム。
【請求項２６】
前記ドッキング部材（１４０）から外された際に前記スクリーンコンソール（３８）に電力を供給するよう構成された電力供給部と、前記ドッキング部材（１４０）からの迅速脱着を与えるよう構成されたバネ負荷ラッチ（１００）とをさらに備える請求項２３に記載のビデオディスプレーシステム。
【請求項２７】
前記スクリーン（４０）が液晶ディスプレーである請求項１に記載のビデオディスプレーシステム。
【請求項２８】
前記ベーゼルが後部座席娯楽モジュール（９９）を備える請求項７に記載のビデオディスプレーシステム。
【請求項２９】
前記スクリーン（４０）と前記デジタルビデオディスクプレーヤ（３２）とが実質的に互いに平行位置して、前記スクリーン（４０）と前記デジタルビデオディスクプレーヤ（３２）とは前記スクリーンコンソール（３８）が前記第１位置と前記第２位置との間を移動する際に実質的に同様な移動通路を通過する請求項７に記載のビデオディスプレーシステム。
【請求項３０】
前記スクリーンコンソール（３８）が、前記スクリーンコンソール（３８）内に実質的に一体化された充電式バッテリーを備える請求項７に記載のビデオディスプレーシステム。
【請求項３１】
前記スクリーンコンソール（３８）が赤外線トランスミッタ（７６）と赤外線レシーバー（７６）とを備え、前記赤外線トランスミッタ（７６）は複数のシグナルを遠隔に位置する装置に伝送するよう作動すると共に、前記赤外線レシーバー（７６）は遠隔制御装置（７８）から複数のシグナルを受信するよう作動する請求項７に記載のビデオディスプレーシステム。
【請求項３２】
前記デジタルビデオディスクプレーヤ（３２）が前記スクリーンコンソール（３８）内に実質的に位置すると共に、前記スクリーン（４０）に作用接続されることによりビデオプレーヤユニット（７９）を形成する請求項１に記載のビデオディスプレーシステム。
【請求項３３】
前記スクリーン（４０）と前記デジタルビデオディスクプレーヤ（３２）とが互いに実質上平行に位置して、前記スクリーン（４０）および前記デジタルビデオディスクプレーヤ（３２）は前記スクリーンコンソール（３８）が前記第１位置と前記第２位置との間を移動する際に実質的に同様な通路を通過する請求項３２に記載のビデオディスプレーシステム。
【請求項３４】
前記ハウジング（３４）および前記スクリーンコンソール（３８）の一方が赤外線トランスミッタ（７６）を備え、前記赤外線トランスミッタ（７６）は複数のシグナルを遠隔に位置する装置（７８）に伝送するよう作動しうる請求項１に記載のビデオディスプレーシステム。
【請求項３５】
ハウジング（３４）と；
前記ハウジング（３４）に移動自在に接続されたハウジング（３４）パネルと；
前記ハウジング（３４）パネルに着脱自在に取り付けられたスクリーンコンソール（３８）（前記スクリーンコンソール（３８）はスクリーン（４０）および前記スクリーン（４０）に作用接続されたデジタルビデオディスクプレーヤ（３２）を有し、前記スクリーン（４０）および前記デジタルディスクプレーヤ（３２）のそれぞれが前記スクリーンコンソール（３８）内に実質上一体的に位置する）と；
前記スクリーンコンソール（３８）を前記ハウジング（３４）に着脱自在に保持するよう作動するラッチメカニズム（８２）と；
を備え、前記ラッチメカニズム（８２）はリリースボタン（１００）と少なくとも１個のフィンガー（１１０）と少なくとも１個のスロット（１０８）とを備え、前記リリースボタン（１００）は第１端部と第２端部とを有し、前記第１端部はスクリーンコンソール（３８）に旋回自在に取り付けられると共に前記第２端部は前記第２端部が前記第１端部を中心として旋回する際に前記ハウジング（３４）と作用係合自在であり、前記少なくとも１個のフィンガー（１１０）は前記少なくとも１個のスロット（１０８）と係合自在であり、前記少なくとも１個のフィンガー（１１０）および前記少なくとも１個のスロット（１０８）の一方は前記ハウジング（３４）に形成されると共に前記少なくとも１個のフィンガー（１１０）および前記少なくとも１個のスロット（１０８）の他方は前記スクリーンコンソール（３８）に形成されることを特徴とする自動車用のビデオディスプレーシステム。
【請求項３６】
前記スロット（１０８）が前記スクリーンコンソール（３８）に配置されると共に、前記フィンガー（１１０）が前記ハウジング（３４）に配置される請求項３５に記載のビデオディスプレーシステム。
【請求項３７】
車輌内での使用に適したディスプレーシステムであって、
前記車輌の内部に取り付けられるハウジング（３４）と；
前記ハウジング（３４）に移動自在に取り付け可能であって、前記車両内または離隔する位置で使用されるビデオプレーヤユニット（７９）であって、前記ビデオプレーヤユニット（７９）は、前記ハウジング（３４）に取り付けられる際、閉鎖位置（４４）と開口位置（４６）との間で旋回可能であり；および
前記ビデオプレーヤユニット（７９）に操作自在に接続され、１つまたは複数の電力源と充電可能に連携するよう構成されるパワーコネクタ（９２）と
を備えることを特徴とするビデオディスプレーシステム。
【請求項３８】
前記ハウジング（３４）に旋回自在に取り付けられるパネル（８０）をさらに備える請求項３７に記載のビデオディスプレーシステム。
【請求項３９】
前記ビデオプレーヤユニット（７９）は、第１のラッチメカニズム（８２，１７８）により、前記パネル（８０）に移動自在に取り付けられる請求項３８に記載のビデオディスプレーシステム。
【請求項４０】
前記第１のラッチメカニズム（８２）は、前記ビデオプレーヤユニット（７９）上に、前記パネル（８０）のディテント（１０６）と協働するプッシュボタン（１０２）を含む請求項３９に記載のビデオディスプレーシステム。
【請求項４１】
前記パネル（８０）は、トルクヒンジ（７４）により、前記ハウジング（３４）に旋回自在に取り付けられる請求項４０に記載のビデオディスプレーシステム。
【請求項４２】
前記ビデオプレーヤユニット（７９）は、デジタルビデオディスクプレーヤ（３２）を含む請求項３７に記載のビデオディスプレーシステム。
【請求項４３】
前記ビデオプレーヤユニット（７９）は、液晶ディスプレースクリーン（４０）を含む請求項３７に記載のビデオディスプレーシステム。
【請求項４４】
前記ビデオプレーヤユニット（７９）が前記ハウジング（３４）に取り付けられる際に、前記ビデオプレーヤユニット（７９）を前記閉鎖位置（４４）に解除可能に保持する第２のラッチメカニズム（４２）をさらに備える請求項３７に記載のビデオディスプレーシステム。
【請求項４５】
前記ビデオプレーヤユニット（７９）は、遠隔制御装置（７８）からの制御信号を受信するよう作動する赤外線レシーバー（７６）を含む請求項３７に記載のビデオディスプレーシステム。
【請求項４６】
前記ビデオプレーヤユニット（７９）は、遠隔位置にオーディオ信号を送信するよう作動する赤外線トランスミッタ（７６）を含む請求項４５に記載のビデオディスプレーシステム。
【請求項４７】
前記ビデオプレーヤユニット（７９）は、前記ビデオプレーヤユニットを操作する複数のコントロール（３６）を含む請求項３７に記載のビデオディスプレーシステム。
【請求項４８】
前記電力源は、再充電可能なバッテリーである請求項３７に記載のビデオディスプレーシステム。
【請求項４９】
前記電力源は、車輌電源である請求項３７に記載のビデオディスプレーシステム。
【請求項５０】
前記ハウジング（３４）は、前記車輌内のヘッドライナーに取り付けられる請求項３７に記載のビデオディスプレーシステム。
【請求項５１】
さらにスタンド（１１２）を備え、
前記ビデオプレーヤユニット（７９）は、前記ビデオプレーヤユニット（７９）が前記ハウジング（３４）から解除される際に、使用のため前記スタンド（１１２）に操作自在に位置付けされうる請求項３７に記載のビデオディスプレーシステム。
【請求項５２】
前記スタンド（１１２）は、前記ビデオプレーヤユニット（７９）を操作するための、少なくとも１個のスピーカー（１１４）および複数のコントロール（１１６）を含む請求項５１に記載のビデオディスプレーシステム。
【請求項５３】
さらにチューナー（１２０）を備え、
前記ビデオプレーヤユニット（７９）は、前記ビデオプレーヤユニット（７９）が前記ハウジング（３４）から解除される際に、使用のため前記チューナー（１２０）に操作自在に位置付けされうる請求項３７に記載のビデオディスプレーシステム。
【請求項５４】
前記チューナー（１２０）は、前記ビデオプレーヤユニット（７９）を操作するための、少なくとも１個のスピーカーおよび複数のコントロール（１２４，１２６）を含む請求項５３に記載のビデオディスプレーシステム。
【請求項５５】
車輌内での使用に適したディスプレーシステムであって、
前記車輌内にハウジング（３４）を供給する手段と；
前記車両内での使用、および前記ハウジングから離隔する位置での使用のため、ビデオプレーヤユニット（７９）を前記ハウジング（３４）に着脱可能に取り付ける手段と；
前記ビデオプレーヤユニット（７９）の操作を制御する手段と；
１つまたは複数の電力源から前記ビデオプレーヤユニット（７９）に電力を供給する手段と；
前記ビデオプレーヤユニット（７９）が前記ハウジング（３４）に取り付けられる際に、閉鎖位置（４４）から開口位置（４６）まで前記ビデオプレーヤユニット（７９）を移動する手段と；
前記ビデオプレーヤユニット（７９）が前記ハウジング（３４）に取り付けられる際に、前記閉鎖位置（４４）に前記ビデオプレーヤユニット（７９）を解除可能に維持する手段と；および
前記ビデオプレーヤユニット（７９）が前記離隔する位置で使用される際に、前記ビデオプレーヤユニット（７９）を位置付けおよび操作する手段とを含むディスプレーシステム。
【手続補正２】
【補正対象書類名】明細書
【補正対象項目名】００１７
【補正方法】変更
【補正の内容】
【００１７】
図３を参照してビデオディスプレーシステム３０の各部品を示す。ハウジング３４はリテーナー部分５２とベーゼル部分５４とを備えると共に、自動車インターフェースワイヤリングハーネス５６がリテーナー部分５２と複数の開孔部５５を含むベーゼル部分５４とを貫通する。複数の開孔部５５は従ってベーゼル部分５４に位置して、デジタルビデオディスクおよび複数のコントロール３６を収容する。数種の部品をハウジング３４のベーゼル部分５４およびリテーナー部分５２に一体化させる。これら部品はＤＶＤプレーヤ３２、ディスクワイパー集成体５８および電力供給部６０を備える。さらに、プリント回路基板６２は、ハウジング３４に一体化され、特にオーディオコネクタ４８および複数のコントロール３６にユーザの入力および出力インターフェースを与える（図１および図２に概略図示される）。各部品はハウジング内に固定される。好適実施例において、ネジ付ファスナー６４がこの目的に使用される。しかしながら当業者は、他の種類のファスナーも同等な効果にて使用しうることを了解し、従って本発明の範囲内である。さらに、各部品はＤＶＤプレーヤが意図する通り機能するよう任意公知の方法にて部品と作用連携され、従ってこれも当業者の知識内である。
【手続補正３】
【補正対象書類名】明細書
【補正対象項目名】００２２
【補正方法】変更
【補正の内容】
【００２２】
代案の好適実施例において、図４に示されるように、ビデオディスプレーシステム３０の各部品はスクリーンコンソール３８中へ作用配置および一体化させることができ、ハウジング３４から脱着しうる内蔵型ビデオプレーヤユニット７９を形成する。この代案の好適実施例につき、同じ参照数字および参照符号を用いて説明した上記実施例の特徴に対応する特徴にて一層詳細に説明する。
【手続補正４】
【補正対象書類名】明細書
【補正対象項目名】００３０
【補正方法】変更
【補正の内容】
【００３０】
さらに追加部品をもスクリーンコンソール３８のリヤカバー７０およびフロントカバー７２内に位置せしめる。この実施例における部品は全て互いに作用連携して、ＤＶＤプレーヤを意図するよう機能させる。図５に示されるように、これら部品は複数のプリント回路基板６２を備えて複数のコンソール３６、オーディオコネクタ８６、パワーコネクタ９２などとの入力および出力インターフェースを与える。ディスクワイパー集成体５８およびスクリーンインバータ１８６をもスクリーンコンソール３８内に設ける。この実施例において、赤外線トランスミッタ／レシーバ７６および赤外線レンズ１９２をフロントカバー７２に位置せしめる一方、第２ラッチメカニズムおよびワイヤリングハーネスコネクタ９３をリヤカバー７０に位置せしめる。第２のラッチメカニズム８２はラッチ部分１８８およびバネ部分１９０を備える。ワイヤリングハーネスコネクタ９３は、実質的にハウジングパネル８０内に位置するワイヤリングハーネスコネクタ９２に対応する。
【手続補正５】
【補正対象書類名】明細書
【補正対象項目名】００３５
【補正方法】変更
【補正の内容】
【００３５】
図８ａおよび８ｂを参照してスタンド１１２を示す。本発明のビデオディスプレーシステム３０をハウジングから取り外して、スタンド１１２内に操作自在に位置せしめることができる。スタンド１１２は少なくとも１個のスピーカー１１４とパワースイッチ１１６とを備えることができる。ビデオディスクプレーヤシステム３０は、上記と同様に第２ラッチメカニズム８２を用いて着脱自在に保持される。スタンド１１２は、このスタンド１１２に回転自在に取り付けられたリヤ脚部１１８を備えることにより、ビデオディスプレーシステムを見るため実質的に垂直方向に位置せしめるよう支持を与える。スタンド１１２は、上記したようにスクリーンコンソール３８に位置するワイヤリングハーネスコネクタ９３（図１７に示される）に係合しうるワイヤリングハーネスコネクタ９２を備えて、所要の電力、オーディオなど操作に必要な接続部を与える。
【手続補正６】
【補正対象書類名】明細書
【補正対象項目名】００４２
【補正方法】変更
【補正の内容】
【００４２】
図１０および図１４を参照してドッキング部材１４０は、コンソール１４２の反対側における点１６８（図１４）にてコンソール１４２に旋回自在に装着される。ＬＣＤ／ＤＶＤユニット１３６はバネバイアスラッチの任意の形態により閉鎖位置に保持することができ、バネバイアスラッチはドッキング部材１４０における凹部もしくはノッチ内に係合して、ドッキング部材が閉鎖位置に押圧されるとユニット１３６を凹部１６４に保持する。図１４はＬＣＤ／ＤＶＤユニット１３６に電力を供給する電力供給部をも示す。電力供給部１７０をコンソール１４２の後部表面１７２に取り付けて示すが、これはコンソール１４２の一部内に容易に包封されうることも了解されよう。図１５は、ＬＣＤ／ＤＶＤユニット１３６におけるプレイバックのためデジタルビデオディスクを受け入れるＤＶＤプレーヤ１７６のスロット１７４を示す。
【手続補正７】
【補正対象書類名】明細書
【補正対象項目名】００４４
【補正方法】変更
【補正の内容】
【００４４】
従って本発明の装置１３０はデジタルビデオディスクをプレイバックすると共に見るためのコンパクトな手段を与える。装置１３０の軽量性およびコンパクト形状は、ＣＲＴおよび関連ビデオカセットプレーヤを有するテレビジョンを装着するのが不可能もしくは実用的でない各種の自動車内の領域に装着することを可能にする。装置１３０は迅速かつ容易に取り外すことができ、コンソールを装着する自動車の周囲で用意に搬送すると共に外部で使用するのに充分な軽さである。たとえば装置１３０は自動車から取り外して、自動車の外部に位置する他のドッキングステーションに設置することができる。さらに、装置１３０はテレビジョンプログラムの使用を可能にする、たとえばテレビジョンチューナーおよび／またはケーブルアダプタのような他の構造をも備えることができる。
【手続補正８】
【補正対象書類名】明細書
【補正対象項目名】図面の簡単な説明
【補正方法】変更
【補正の内容】
【図面の簡単な説明】
【図１】
本発明の教示に従い作成された好適実施例のフロント斜視図；
【図２】
本発明に従い作成された図１に示した実施例の後部斜視図；
【図３】
本発明に従い作成された図１に示した好適実施例の分解図；
【図４】
本発明に従い作成された代案好適実施例のフロント斜視図；
【図５】
本発明に従い作成された図４に示した実施例の分解図；
【図６ａおよび６ｂ】
本発明に従い作成された図４に示した実施例におけるハウジングの代案実施例；
【図７ａ−７ｃ】
本発明に従い作成された図４に示した実施例におけるラッチメカニズムの側面図；
【図８ａ】
本発明に従い作成された図４に示した実施例にて操作しうるスタンドの正面図；
【図８ｂ】
本発明に従い作成された図８ａに示したスタンドの側面図；
【図９】
本発明に従い作成された図４に示した実施例で操作しうるチューナースタンドのフロント斜視図；
【図１０】
本発明に従い作成された図４に示した本発明の代案実施例の斜視図；
【図１１】
本発明に従い作成された図１０に示した実施例の正面図；
【図１２】
本発明に従い作成された図１０に示した実施例のハウジングのフロント斜視図；
【図１３】
本発明に従い作成された図１０に示した実施例の底面図；
【図１４】
本発明に従い作成された図１０に示した実施例の斜視図；
【図１５】
図１０に示した実施例の斜視図；
【図１６】
本発明に従い作成された代案好適実施例のフロント斜視図；
【図１７】
本発明に従い作成された図４に示した実施例の分解図。
【手続補正９】
【補正対象書類名】図面
【補正対象項目名】図３
【補正方法】変更
【補正の内容】
【図３】
2002533258.tif 000001
【手続補正１０】
【補正対象書類名】図面
【補正対象項目名】図４
【補正方法】変更
【補正の内容】
【図４】
2002533258.tif 000002
【手続補正１１】
【補正対象書類名】図面
【補正対象項目名】図５
【補正方法】変更
【補正の内容】
【図５】
2002533258.tif 000003
【手続補正１２】
【補正対象書類名】図面
【補正対象項目名】図６ａ
【補正方法】変更
【補正の内容】
【図６ａ】
2002533258.tif 000004
【手続補正１３】
【補正対象書類名】図面
【補正対象項目名】図６ｂ
【補正方法】変更
【補正の内容】
【図６ｂ】
2002533258.tif 000005
【手続補正１４】
【補正対象書類名】図面
【補正対象項目名】図７ａ
【補正方法】変更
【補正の内容】
【図７ａ】
2002533258.tif 000006
【手続補正１５】
【補正対象書類名】図面
【補正対象項目名】図７ｂ
【補正方法】変更
【補正の内容】
【図７ｂ】
2002533258.tif 000007
【手続補正１６】
【補正対象書類名】図面
【補正対象項目名】図７ｃ
【補正方法】変更
【補正の内容】
【図７ｃ】
2002533258.tif 000008
【手続補正１７】
【補正対象書類名】図面
【補正対象項目名】図１０
【補正方法】変更
【補正の内容】
【図１０】
2002533258.tif 000009
【手続補正１８】
【補正対象書類名】図面
【補正対象項目名】図１７
【補正方法】変更
【補正の内容】
【図１７】
2002533258.tif 000010